(57)【要約】【課題】  被梱包物毎に別々の緩衝体を用意する必要がなく、従って、外箱も単一のものでたりる、規格化可能な緩衝体及び外箱を提供することを目的とする。【解決手段】  本発明に係る緩衝体は一対のもので、それらの緩衝体１、１に被梱包物Ｐを組み込んだ場合に、それぞれ対向する位置にある対向面２と、対向面２の左右に隣接する両側面３、４と、これらの両側面３、４に隣接する背面５と、対向面２、両側面３，４及び背面５にそれぞれ隣接する上下面６、７を備える直方体の箱状のものである。前記対向面２は、少なくとも一つの被梱包物Ｐの一端部Ｐ１を挿入することができる挿入口２０と、この挿入口２０の上下左右の縁部２１、２２、２３、２４に形成され、且つ被梱包物Ｐの一端部Ｐ１の挿入方向ｘ（図４参照）に沿って折り込まれる各折片２１０、２２０、２３０、２４０を備えている。そして、被梱包物Ｐを組み込んだ一対の緩衝体１、１は、外箱８に収容される。【選択図】図１
2011051639.tif 000002
【特許請求の範囲】
【請求項１】
被梱包物を保護するための一対の緩衝体であって、
前記緩衝体は、少なくとも一つの被梱包物の一端部を挿入することができる挿入口と、この挿入口の上下左右の縁部に形成され、且つ、被梱包物の挿入方向に沿って折り込まれる各折片を備える対向面と、
この対向面に隣接する両側面と、
これらの両側面に隣接する背面と、
対向面、両側面及び背面にそれぞれ隣接する上面及び下面からなることを特徴とする緩衝体。
【請求項２】
前記挿入口から挿入される被梱包物の一端部と背面間には緩衝用のスペースが形成されることを特徴する請求項１に記載の緩衝体。
【請求項３】
前記背面には、その面より突起する緩衝片が形成されていることを特徴とする請求項１に記載の緩衝体。
【請求項４】
前記上下面は、前記対向面、両側面又は背面の各上下端部を延長させた延長片を折込んで、少なくとも２重の延長片で構成されていることを特徴とする請求項１に記載の緩衝体。
【請求項５】
請求項１の緩衝体が所定の寸法に規格化されると共に、これらの一対の緩衝体を収容できように、規格化されていることを特徴とする外箱。
【発明の詳細な説明】
【技術分野】
【０００１】
本発明は、被梱包物を衝撃等の外力から保護するための緩衝体及びこれを収容する外箱に関する。
【背景技術】
【０００２】
特許文献１には、正常載置姿勢としたドットプリンタ（Ｐ）の左右両端部にそれぞれ被嵌される一対の緩衝用枠体３が開示されており、それぞれ左用緩衝用枠体（４）及び右用緩衝用枠体（５）には、ドットプリンタ側面形状に対応する被嵌用凹部（１１）が形成されている。
かかるドットプリンタ用ダンボール包装部材では、その被嵌用凹部（１１）がドットプリンタ側面形状に対応していることから、梱包対象が限定されざるを得ないというデメリットを指摘することができる。
【０００３】
特許文献２には、被嵌緩衝体Ａと係止緩衝体材Ｂの二部材（ツーピース）で構成される梱包用緩衝体が開示されており、この係止緩衝体材Ｂの折り返し重合部１４の長さを可変することで梱包物１の差し込み深さを可変することができるなど、一方の部材に簡単な設計変更を加えることで他方の部材をそのままで様々な梱包物１に適用できる、とされている。
かかる梱包用緩衝体では、特許文献１の包装部材に比べ、様々な梱包物１に柔軟に対応できるものの、二部材の一方の部材に設計変更を加えることが必要になっている。
【０００４】
【特許文献１】特開２００１−６３７６６号公報
【特許文献２】登録実用新案第３０５２１６２号公報
【発明の開示】
【発明が解決しようとする課題】
【０００５】
これら先行技術に共通している課題は、被梱包物毎にその端部の形状に対応させる緩衝体を用意しなければならない点、それに合わせて緩衝体を収容する外箱も緩衝体毎に用意しなければならない場合がある点である。
そこで、本発明においては、被梱包物毎に別々の緩衝体を用意する必要がなく、従って、外箱も単一のものでたりる、規格化可能な緩衝体及び外箱を提供することを目的とする。
【課題を解決するための手段】
【０００６】
上記課題を解決するため、本発明は、被梱包物を保護するための一対の緩衝体であって、前記緩衝体は、少なくとも一つの被梱包物の一端部を挿入することができる挿入口と、この挿入口の上下左右の縁部に形成され、且つ、被梱包物の挿入方向に沿って折り込まれる各折片を備える対向面と、この対向面に隣接する両側面と、これらの両側面に隣接する背面と、前記対向面、前記両側面及び前記背面にそれぞれ隣接する上下面からなることを特徴とする緩衝体とした（請求項１に記載の発明）。
【０００７】
上記発明において、前記挿入口から挿入される被梱包物の一端部と背面間には緩衝用のスペースが形成されることを特徴する緩衝体とした（請求項２の発明）。
【０００８】
上記発明において、前記背面には、その面より突起する緩衝片が形成されていることを特徴とする緩衝体とした（請求項３の発明）。
【０００９】
上記発明において、前記上下面は、前記対向面、両側面又は背面の各上下端部を延長させた延長片を折込んで、少なくとも２重の延長片で構成されていることを特徴とする緩衝体とした（請求項４の発明）。
【００１０】
上記の緩衝体が所定の寸法に規格化されると共に、その規格化に伴い、これらの一対の緩衝体を収容できように、規格化されていることを特徴とする外箱とした（請求項５の発明）。
【００１１】
上記発明において、前記上下面には、それぞれ貫通孔が形成されていることを特徴とする緩衝体としてもよい。
【発明の効果】
【００１２】
上記発明によれば、緩衝体の対向面に被梱包物の一端部を挿入することができる挿入口が形成され、この挿入口は、上下左右の縁部に形成され、且つ、被梱包物の挿入方向に沿って折り込まれる各折片を備えるので、被梱包物の一端部が各折片により、挟み込まれて安定化される。
よって、その一端部を挿入口に挿入できる寸法の範囲内の、各種の被梱包物を衝撃から保護できる緩衝体となっており、被梱包物毎に緩衝体を用意する必要がなく、従って、外箱も規格化が可能な緩衝体及びこれを収容する外箱を提供することができる。
【発明を実施するための最良の形態】
【００１３】
以下に、本発明に係る緩衝体の実施形態を図面に基づき説明する。
図１は緩衝体の正面側斜視図、図２は緩衝体の背面側斜視図、図３は緩衝体の正面図である。
図４は一対の緩衝体に被梱包物を組み込んだ状態の斜視図、図５は同斜視図のＸ−Ｘ線中央横断面図、図６は同斜視図のＹ−Ｙ線中央縦断面図である。
図７は緩衝体の展開図、図８は外箱の展開図である。
図９（イ）〜（ニ）は一対の緩衝体及び外箱の使用例図である。
なお、以下において、同一名称又は同一符号は、それぞれ同一の構成を示すものとし、重複した説明は避けることとする。
【００１４】
本発明に係る緩衝体は一対のもので、図１〜図４に示したようにそれらの緩衝体１、１に被梱包物Ｐを組み込んだ場合に、それぞれ対向する位置にある対向面（正面）２と、対向面２の左右に隣接する両側面３、４と、これらの両側面３、４に隣接する背面５と、対向面２、両側面３，４及び背面５にそれぞれ隣接する上下面６、７を備える直方体の箱状のものである。
そして、被梱包物Ｐを組み込んだ一対の緩衝体１、１は、外箱８に収容される（図９参照）。
緩衝体１は一対のものであるので、以下の説明においてはその一方の構成例を詳細に説明することとする。
【００１５】
図２及び図４のように、前記緩衝体１の対向面２は、少なくとも一つの被梱包物Ｐの一端部Ｐ１を挿入することができる挿入口２０と、この挿入口２０の上下左右の縁部２１、２２、２３、２４に形成され、且つ、被梱包物Ｐの一端部Ｐ１の挿入方向ｘ（図４参照）に沿って折り込まれる各折片２１０、２２０、２３０、２４０を備えている。
【００１６】
前記挿入口２０は、その縁部２１、２２、２３、２４により、略長方形の長孔状に形成されており、被梱包物Ｐの一端部Ｐ１の特定の形状に対応させるものではなく、挿入口２０に挿入できる寸法の範囲内にある多様な被梱包物Ｐの一端部Ｐ１に対し、より汎用性の高いものになっている。
この前記挿入口２０の寸法は、少なくとも一台の被梱包物Ｐの一端部Ｐ１が挿入可能なように構成されており、２台の被梱包物Ｐの各一端部Ｐ１を差し込むようにしてもよい。
具体的には、前記挿入口２０の高さＨは、約３３．５ｃｍ、同幅Ｗは約６．５ｃｍに形成されている。
【００１７】
また、対向面２の上下端から挿入口２０の縁部２１、２２の各高さｈはそれぞれ同一寸法（約２．５ｃｍ）であり、また左右端から挿入口２０の縁部２２、２３の各幅ｗはそれぞれ同一寸法（約２．３ｃｍ）である。
よつて、被梱包物Ｐを浮かせた状態で、且つ、被梱包物Ｐの周囲に略等しいスペースＳが形成できるようになっている（図５及び図６参照）。即ち、前記緩衝体１、１を介して外箱８に収容される被梱包物Ｐに加えられる種々の外力に対して、被梱包物Ｐを保護できるようになっている。
また、前記各高さｈと各幅ｗは略同一寸法であることから、外箱８に収容される際の前記緩衝体１の天地に囚われずに、これを使用することができる。
【００１８】
前記挿入口２０の縁部２１、２２、２３、２４にはミシン目の切込み２５が形成されている。
ミシン目の切込みを形成する場合、切込長さを一定とし、それらの間隔が短いほど、各折片２１０、２２０、２３０、２４０が折り込まれ易く、従って緩衝強度が弱く、折り目部分が破れやすいという問題が生じる。一方、切込間の間隔が長いほど、各折片２１０、２２０、２３０、２４０が折り込まれ難く緩衝強度は強すぎて、折りにくいという問題点がある。
本実施形態では、緩衝強度が強すぎず、弱くなりすぎないように、切込長を約１ｃｍとした場合、その間隔を約１．５ｃｍとしている。
【００１９】
前記上片２１０と下片２２０は、各縁部２１、２２を底辺として、斜辺が切込まれて略２等辺３角形状に切欠かれている。
前記左片２３０と右片２４０は、各縁部２３、２４を長辺として、斜辺及び短辺が切込まれて略台形状に切欠かれている。
【００２０】
以上のように構成されている挿入口２０の作用を図５及び図６に基づいて詳細に説明する。
図５に示したように、左片２３０と右片２４０には、被梱包物Ｐの一端部Ｐ１に対し、各片が元の位置（各折片２１０、２２０、２３０、２４０が対向面の平面を形成する位置、挿入口２０に被梱包物Ｐの一端部Ｐ１が挿入される前の各折片２１０、２２０、２３０、２４０の位置等）に復帰しようとする弾性力が作用する。その結果、被梱包物Ｐの一端部Ｐ１が、左片２３０と右片２４０の各先端に挟まれる。左片２３０と右片２４０の各先端に挟まれた被梱包物Ｐが方向ｘ１に移動しようとすると、緩衝体１Ｂの左片２３０と右片２４０の各先端も同じ方向に追随されて、緩衝体１Ｂの左片２３０と右片２４０の被梱包物Ｐに対する挟込力が強まる。逆に、被梱包物Ｐが方向ｘ２に移動しようとすると、緩衝体１Ａの左片２３０と右片２４０の各先端の被梱包物Ｐに対する挟込力が強まる。
従って、被梱包物Ｐが、挿入方向ｘ１又はその逆方向ｘ２に移動することなく安定的に静置される。
被梱包物Ｐの一端部Ｐ１に対し、左片２３０又は右片２４０がなす角αは、約４５度であるが、その角度が大きい程、挟込力が強まる。
【００２１】
図６に示されているように、前記下片２２０は、被梱包物Ｐの一端部Ｐ１を挿入口２０に差し入れる際のガイドとして作用する。
また、被梱包物Ｐの一端部Ｐ１の高さ寸法が大きい場合には、図６に図示したように、被梱包物Ｐの一端部Ｐ１に対し上片２１０の弾性力が作用される。その結果、左片２３０と右片２４０と共に、外部からの衝撃に対し被梱包物Ｐを安定的に静置させることができる。
【００２２】
なお、前記上片２１０と下片２２０は略２等辺３角形状に、前記左片２３０と右片２４０は略台形状に切り欠かれているが、これらの形状に限定されるものではなく、例えば前記上片２１０と下片２２０は半円状のものでもよい。
また、左右片２３０、２４０の各先端は当接させてもよいし、隙間を設けてもよい。左右片２３０、２４０の各先端間にスリット（隙間）を設けることにより、同一幅ＰＷの被梱包物Ｐの一端部Ｐ１に対する角αをより大きく形成することができる。
【００２３】
前記両側面３，４の奥行幅３Ｗは、図５及び図６に図示されているように、前記挿入口２０から挿入される被梱包物Ｐの一端部Ｐ１と背面間にスペースＳ１が形成化可能なサイズになっている。
よって、前記スペースＳと一体となって緩衝に対する強度を向上させることができる。
【００２４】
前記背面５には、その面より外側に突起する緩衝片５０が形成され、その背面方向に加えられる外力から、被梱包物Ｐが保護されるようになっている。特に背面５の緩衝作用が弱い場合に有効である。
【００２５】
前記上下面６、７は、前記対向面２及び背面５の上下端部を延長させた延長片２６、５１、２７、５２（図７参照）の各端部を略当接させ、前記両側面３と４の上下端部を延長させた延長片３０、４０、３１、４１（図７参照）をそれぞれ重合させて構成されている。
よって、前記上下面６、７は三層に形成されることとなり、外力からの直方体の緩衝体１に対する緩衝強度を高めている。
さらに、かかる構成により緩衝体１を介して外箱８を補強することができ、外箱１の重ね置きに有効な構成となっている。
なお、前記上下面６、７は上記構成に限定されるものではなく、例えば、前記両側面３と４の一方の上下端部のみを延長させてもよい。
即ち、対向面２、両側面３，４又は背面５の各上下端部を延長させた延長片を折込んで、少なくとも２重の延長片で構成してもよい。
【００２６】
上記上下面６、７には、貫通孔６０、７０が設けられており、外箱８に対する緩衝体１の出し入れを容易にしている。
【００２７】
以上のように構成された緩衝体は、図７に示した輪郭にそって、一枚のダンボール、厚紙等から打ち抜き形成されるもので、同図に示したように、対向面２、両側面３、４、背面５及び補強面９の各境界にミシン目が入れられた折縁Ａ〜Ｄが形成され、また、対向面２の挿入口２０には前記縁部２１〜２４が設けられ、各上下片２１０と２２０、左右片２３０と２４０はその輪郭に沿って、切込が設けられている。また、前記両側面３、４の一方の延長片４０、４１には、差込シロ４２、４３がそれぞれ形成され、その他方の延長片３０、３１には、差込シロ４２、４３に対応する差し込みスリット３２、３３が形成され、背面５には、前記緩衝片５０の切込が形成されている。さらに、各延長片には貫通孔６０、７０を形成する切欠６１、７１が設けられている。
よって、このように展開されている緩衝体を梱包の現場にて簡単に組立たり、展開することができるようになっている。上述のように、緩衝体は、直方体の箱状のものであるので、その組立も極めて簡単である。
【００２８】
被梱包物Ｐは、基盤等、例えば「電話交換機用電子基盤部品」が想定されており、そのサイズは最大のもので縦方向寸法３０ｃｍ、横方向寸法３６ｃｍ、幅寸法３ｃｍとなっている。
被梱包物としては、基盤等に限定されるものではなく、前記挿入口２０にその一端部を挿入できるものであればよい。
【００２９】
前記外箱８は、ダンボールから形成され、前記緩衝体１が所定の寸法（横約１１ｃｍ×縦約１５ｃｍ×高さ約３９ｃｍ）に規格化されると共に、横寸法１２．５ｃｍ、縦方向寸法４５．５ｃｍ、高さ方向寸法４１．１ｃｍに規格化されている。
【００３０】
以上のように構成された一対の緩衝体１及び外箱８の使用方法を図９に基づいて説明する。
（イ）  まず、帯電防止袋等で簡単に包装した２つの被梱包物Ｐ間にパッキンＰ２を介在させて各一端部Ｐ１を前記緩衝体１の挿入口２０に差し込む。
その際、前記挿入口２０から挿入される被梱包物Ｐの端部Ｐ１と背面間にスペースＳ１が形成されるように挿入位置を調整する。
（ロ）  次に、各緩衝体１の貫通孔６０、６０を利用して、外箱８に格納する。
（ハ）  その際、緩衝体１の前記背面５の緩衝片５０が外箱８の内面に当接するように調整する。
（ニ）  最後に密閉すればよい。
【００３１】
上記構成の緩衝体１の効果を纏めると次の通りである。
（ａ）  緩衝体１の挿入口２０は、上下左右の縁部２１〜２４に形成され、且つ、被梱包物Ｐの挿入方向に沿って折り込まれる各折片２１０〜２４０を備えるので、各折片が被梱包物Ｐを挟み込むように作用して安定化させる。
よって、その一端部Ｐ１を挿入口２０に挿入できる寸法の範囲内の、各種の被梱包物Ｐを衝撃から保護できる緩衝体となっており、被梱包物毎に緩衝体を用意する必要がなく、特に薄板状の被梱包物に対して、規格化が可能な緩衝体となっている。
この緩衝体１の規格化に伴い、外箱８も規格化されている。
（ｂ）  緩衝体１は、ダンボール、厚紙のみで構成され、ダンボール以外のラップ等の緩衝体料を省くことができる。また、搬送先と搬送元との間で繰り返し使える緩衝体１及び外箱８となっている。
（ｃ）  被梱包物Ｐの一端Ｐ１を緩衝体１の挿入口２０に差し込むだけであり、またその天地も問題にすることなく、緩衝作業が完了することから、その梱包作業が簡素化される。
（ｄ）  緩衝体１は、直方体の箱状のものであって、構成が簡単であり、展開されている状態からの組み立てが容易である。
（ｅ）  複数の被梱包物Ｐを一対の緩衝体１により梱包することができる。
（ｆ）  被梱包物が薄板状のものという基本形に大きな変化がなければ、梱包対象となるアイテム数は数百程度にすることが想定可能である。
【図面の簡単な説明】
【００３２】
【図１】緩衝体の正面側斜視図、
【図２】緩衝体の背面側斜視図、
【図３】緩衝体の正面図、
【図４】一対の緩衝体に被梱包物を組み込んだ状態の斜視図、
【図５】同斜視図の中央横断面図、
【図６】同斜視図の中央縦断面図、
【図７】緩衝体の展開図、
【図８】外箱の展開図、
【図９】一対の緩衝体の使用例図。
【符号の説明】
【００３３】
１、１  緩衝体                        Ｐ  被梱包物
２  対向面（正面）
２０  挿入口
２１、２２、２３、２４  縁部
２１０、２２０、２３０、２４０  折片
２５  切込み
２６、２７  延長片
３、４  両側面
３０、３１  延長片
３２、３３  差し込みスリット
４０、４１  延長片
４２、４３  差込シロ
５  背面
５０  緩衝片
５１、５２  延長片
６、７  上下面
６０、７０  貫通孔
６１、７１  切欠
８  外箱
９  補助面
【図１】
2011051639.tif 000003
【図２】
2011051639.tif 000004
【図３】
2011051639.tif 000005
【図４】
2011051639.tif 000006
【図５】
2011051639.tif 000007
【図６】
2011051639.tif 000008
【図７】
2011051639.tif 000009
【図８】
2011051639.tif 000010
【図９】
2011051639.tif 000011
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
被梱包物を保護するための一対の緩衝体であって、
前記緩衝体は、少なくとも一つの被梱包物の一端部を挿入することができる挿入口と、この挿入口の上下左右の縁部に形成され、且つ、被梱包物の挿入方向に沿って折り込まれる各折片を備える対向面と、
この対向面に隣接する両側面と、
これらの両側面に隣接する背面と、
対向面、両側面及び背面にそれぞれ隣接する上面及び下面からなり、
前記挿入口から挿入される被梱包物の一端部と背面間には緩衝用のスペースが形成される緩衝体において、
前記各折片は、前記挿入口に被梱包物の一端部が挿入される前には、前記対向面の平面を形成する位置にあると共に、挿入された被梱包物の一端部に対し、折片の左片と右片は、前記位置に復帰しようとする弾性力を作用させることを特徴する緩衝体。
【請求項２】
前記背面には、その面より突起する緩衝片が形成されていることを特徴とする請求項１に記載の緩衝体。
【請求項３】
前記上下面は、前記対向面、両側面又は背面の各上下端部を延長させた延長片を折込んで、少なくとも２重の延長片で構成されていることを特徴とする請求項１に記載の緩衝体。
【請求項４】
請求項１の緩衝体が所定の寸法に規格化されると共に、これらの一対の緩衝体を収容できように、規格化されていることを特徴とする外箱。
【手続補正２】
【補正対象書類名】明細書
【補正対象項目名】０００７
【補正方法】変更
【補正の内容】
【０００７】
前記挿入口から挿入される被梱包物の一端部と背面間には緩衝用のスペースが形成され、前記各折片は、前記挿入口に被梱包物の一端部が挿入される前には、前記対向面の平面を形成する位置にあると共に、挿入された被梱包物の一端部に対し、折片の左片と右片は、前記位置に復帰しようとする弾性力を作用させることを特徴する緩衝体とした（請求項１の発明）。
【手続補正３】
【補正対象書類名】明細書
【補正対象項目名】０００８
【補正方法】変更
【補正の内容】
【０００８】
上記発明において、前記背面には、その面より突起する緩衝片が形成されていることを特徴とする緩衝体とした（請求項２の発明）。
【手続補正４】
【補正対象書類名】明細書
【補正対象項目名】０００９
【補正方法】変更
【補正の内容】
【０００９】
上記発明において、前記上下面は、前記対向面、両側面又は背面の各上下端部を延長させた延長片を折込んで、少なくとも２重の延長片で構成されていることを特徴とする緩衝体とした（請求項３の発明）。
【手続補正５】
【補正対象書類名】明細書
【補正対象項目名】００１０
【補正方法】変更
【補正の内容】
【００１０】
上記の緩衝体が所定の寸法に規格化されると共に、その規格化に伴い、これらの一対の緩衝体を収容できように、規格化されていることを特徴とする外箱とした（請求項４の発明）。
【手続補正６】
【補正対象書類名】明細書
【補正対象項目名】００１２
【補正方法】変更
【補正の内容】
【００１２】
上記発明によれば、緩衝体の対向面に被梱包物の一端部を挿入することができる挿入口が形成され、この挿入口は、上下左右の縁部に形成され、且つ、被梱包物の挿入方向に沿って折り込まれる各折片を備えるので、被梱包物の一端部が各折片により、挟み込まれて安定化される。
特に、折片の左片と右片には、前記挿入口に被梱包物の一端部が挿入される前の前記対向面の平面を形成する位置に復帰しようとする弾性力が作用されるので、挟込力が強まる。
よって、その一端部を挿入口に挿入できる寸法の範囲内の、各種の被梱包物を衝撃から保護できる緩衝体となっており、被梱包物毎に緩衝体を用意する必要がなく、従って、外箱も規格化が可能な緩衝体及びこれを収容する外箱を提供することができる。
【手続補正書】
【提出日】平成22年2月1日(2010.2.1)
【手続補正１】
【補正対象書類名】特許請求の範囲
【補正対象項目名】全文
【補正方法】変更
【補正の内容】
【特許請求の範囲】
【請求項１】
被梱包物を保護するための一対の緩衝体であって、
前記緩衝体は、少なくとも一つの被梱包物の一端部を挿入することができる挿入口と、この挿入口の上下左右の縁部に形成され、且つ、被梱包物の挿入方向に沿って折り込まれる各折片を備える対向面と、
この対向面に隣接する両側面と、
これらの両側面に隣接する背面と、
対向面、両側面及び背面にそれぞれ隣接する上面及び下面からなり、
前記挿入口から挿入される被梱包物の一端部と背面間には緩衝用のスペースが形成される緩衝体において、
前記各折片は、前記挿入口に被梱包物の一端部が挿入される前には、前記対向面の平面を形成する位置にあると共に、挿入された被梱包物の一端部に対し、折片の左片と右片は、前記位置に復帰しようとする弾性力を作用させることを特徴する緩衝体。
【請求項２】
前記背面には、その面より突起する緩衝片が形成されていることを特徴とする請求項１に記載の緩衝体。
【請求項３】
前記上下面は、前記対向面、両側面又は背面の各上下端部を延長させた延長片を折込んで、少なくとも２重の延長片で構成されていることを特徴とする請求項１に記載の緩衝体。
【手続補正３】
【補正対象書類名】明細書
【補正対象項目名】０００１
【補正方法】変更
【補正の内容】
【０００１】
本発明は、被梱包物を衝撃等の外力から保護するための、外箱に収容される緩衝体に関する。
【手続補正４】
【補正対象書類名】明細書
【補正対象項目名】００１０
【補正方法】削除
【補正の内容】